(57)【特許請求の範囲】
【請求項１】
水平状のベース板と、該ベース板上に水平回転可能に設けられた上板と、複合機本体から分離した状態で少なくとも２個のそれぞれ異なる形状の挟状部をそれぞれ収納し、上側又は横側が開口され且つ前記挟状部の形状に応じて大きさが決定されると共に箱状物とした収納ボックスとからなり、該収納ボックスの複数が前記上板の外周辺寄りに固着され、前記複合機本体に装着された一対の挟状部が前記収納ボックス内に、上から下に又は外側から内側に挿入されると共に、前記挟状部のみが前記複合機本体から分離可能とされ、且つ前記収納ボックスには前記挟状部のみが収納された状態としてなることを特徴とする複数挟状部収納用テーブル。
【請求項２】
請求項１において、前記収納ボックスは、前記挟状部の出し入れが、上板の下側から上側に又は上側から下側に垂直状態を保持しつつできるように構成された縦型タイプとしてなることを特徴とする複数挟状部収納用テーブル。
【請求項３】
請求項１において、前記収納ボックスは、前記挟状部の出し入れが、上板の内側から外側に又は外側から内側に水平状態を保持しつつできるように構成された横型タイプとしてなることを特徴とする複数挟状部収納用テーブル。
【請求項４】
請求項１，２又は３の何れか１項において、前記収納ボックスに収納される前記挟状部としては、鉄骨を切断できる切断用可動部及び鉄筋コンクリートを破砕できる破砕体付き可動顎としてなることを特徴とする複数挟状部収納用テーブル。
【請求項５】
請求項４において、前記収納ボックスに収納される前記挟状部としては、破砕したコンクリート塊をさらに細かく破砕できる小割り用の小割り破砕部を備えてなることを特徴とする複数挟状部収納用テーブル。
【請求項６】
請求項４又は５において、前記収納ボックスに収納される前記挟状部としては、破砕又は切断された部材，材料などの掴みができるフォークグラブをも備えてなることを特徴とする複数挟状部収納用テーブル。
【発明の詳細な説明】
【技術分野】
【０００１】
本発明は、複数の油圧ショベルのブーム先端箇所に取り付けた建設用小型複合機において、狭隘地などの極めて狭い場所においても、先端に付けたアームなどの挟状部のみを適宜交換することが簡易且つ迅速にできる複数挟状部収納用テーブルに関する。
【背景技術】
【０００２】
従来より、コンクリート構造物などのビルや、高層ビルなどを破砕する装置としては、種々のタイプの破砕機、切断装置などが存在している。ところが、近年は、コンクリート構造物などを破砕して再開発する事業そのものが少なくなっているが、コンビニなどの小規模の鉄骨構造物や住居用一般住宅等の建て替えは頻繁に行われている。
【０００３】
このコンビニなどが設置されている土地は、都会や、ある程度の繁華街にあり、そこは狭隘地であるのみならず、騒音などに対しても制限されている場所でもある。コンビニなどの構造物でも軽量鉄骨とコンクリート基礎があり、これらを破砕処理する必要がある。
【０００４】
小型の破砕機で、鉄骨などが切断でき、コンクリートが破砕できることが必要となっており、所定のトルクを得るためには、油圧シリンダによる構造は必須である。だが、その大型は必要はないが、少なくとも、鉄骨切断とコンクリート破砕の２つの目的は達成することが必要である。
【０００５】
この目的達成のために、２つ考えられる。一つ目は、従来のように専用機（鉄骨切断機又は破砕機）を、２台用意することであるが、これでは価格が高価となるのみならず、現場においてスペース的に置ける場所や、市街地ゆえに、油圧ホースの取換え中に油漏れは環境汚染の点からも重大な問題があった。
【０００６】
２つ目は、複合機本体を１つとし、先端に付けるアームなどの挟状部のみを取換えができるようにすることが考えられる。これは、業界としても全く新規な事柄である。そのようにアームなどの挟状部のみの交換が、現場にて簡単にできれば、油圧ホースの取換えずに油漏れは発生せず、環境汚染の点からも好ましいだけでなく交換時間の短縮を実現することとなる。特許文敬１では、テーブルといっても、上下動するとしても、その上に乗りながら動かすものであり、テーブル自体が回転するような構成は存在していない。
【先行技術文献】
【特許文献】
【０００７】
【特許文献１】実用新案登録第３１３３６４２号
【発明の概要】
【発明が解決しようとする課題】
【０００８】
実際には、アームなどの挟状部のみの交換であっても、狭い場所で且つ油圧ショベルのブーム先端箇所に取り付けた建設用小型複合機（アタッチメント）においては、極めて高度な操作が必要とされる。このため、本発明が解決しようとする課題（技術的課題又は目的等）は、複数の油圧ショベルのブーム先端箇所に取り付けた建設用小型複合機（アタッチメント）において、極めて狭い場所においても、その挟状部のみを適宜交換することが簡易且つ迅速にできることを実現することである。
【課題を解決するための手段】
【０００９】
そこで、発明者は上記課題を解決すべく鋭意，研究を重ねた結果、請求項１の発明を、水平状のベース板と、該ベース板上に水平回転可能に設けられた上板と、複合機本体から分離した状態で少なくとも２個のそれぞれ異なる形状の挟状部をそれぞれ収納し、上側又は横側が開口され且つ前記挟状部の形状に応じて大きさが決定されると共に箱状物とした収納ボックスとからなり、該収納ボックスの複数が前記上板の外周辺寄りに固着され、前記複合機本体に装着された一対の挟状部が前記収納ボックス内に、上から下に又は外側から内側に挿入されると共に、前記挟状部のみが前記複合機本体から分離可能とされ、且つ前記収納ボックスには前記挟状部のみが収納された状態としてなる複数挟状部収納用テーブルとしたことにより、前記課題を解決した。
【００１０】
請求項２の発明を、請求項１において、前記収納ボックスは、前記挟状部の出し入れが、上板の下側から上側に又は上側から下側に垂直状態を保持しつつできるように構成された縦型タイプとしてなることを特徴とする複数挟状部収納用テーブルとしたことにより、前記課題を解決した。請求項３の発明を、請求項１において、前記収納ボックスは、前記挟状部の出し入れが、上板の内側から外側に又は外側から内側に水平状態を保持しつつできるように構成された横型タイプとしてなることを特徴とする複数挟状部収納用テーブルとしたことにより、前記課題を解決した。
【００１１】
請求項４の発明を、請求項１，２又は３の何れか１項において、前記収納ボックスに収納される前記挟状部としては、鉄骨を切断できる切断用可動部及び鉄筋コンクリートを破砕できる破砕体付き可動顎としてなることを特徴とする複数挟状部収納用テーブルとしたことにより、前記課題を解決した。請求項５の発明を、請求項４において、前記収納ボックスに収納される前記挟状部としては、破砕したコンクリート塊をさらに細かく破砕できる小割り用の小割り破砕部を備えてなることを特徴とする建設用小型複合機としたことにより、前記課題を解決した。
【００１２】
請求項６の発明を、請求項４又は５において、前記収納ボックスに収納される前記挟状部としては、破砕又は切断された部材，材料などの掴みができるフォークグラブをも備えてなることを特徴とする複数挟状部収納用テーブルとしたことにより、前記課題を解決したものである。
【発明の効果】
【００１３】
請求項１の発明においては、特に、挟状部であっても、数１０キロもあり、これを持ちながらセットするという面倒なものではなく、これが収納ボックス内に収納されている状態で、しかもベース板上で適宜水平回転できるもので、微調整位置変更も可能なために、極めて容易にセットできるという最大の効果を奏する。つまり、素人であっても、重さの重い挟状部の取換えが簡単にできるものである。さらに、少なくとも２個のそれぞれ異なる形状の挟状部に対して良好に対応できる。
【００１４】
また、請求項２の発明では、前記挟状部の出し入れが、上板の下側から上側に又は上側から下側に垂直状態を保持しつつできるよう構成されているため、地上作業者が見ながらでき操作しやすい効果がある。請求項３の発明では、前記挟状部の出し入れが、上板の内側から外側に又は外側から内側に水平状態を保持しつつできるように構成されているため、油圧ショベルの作業者が上から見ながらでき操作しやすい利点がある。
【００１５】
請求項４の発明では、特に、２種類の挟状部に対して良好に対応できる。請求項５の発明では、特に、３種類の挟状部に対して良好に対応できる。請求項６の発明では、部材，材料などの掴みができるフォークグラブとしての挟状部に対して良好に対応できる。さらに、請求項２乃至６においては、請求項１と同様の効果を奏する。
【図面の簡単な説明】
【００１６】
【図１】（Ａ）は本発明の第１実施形態の平面図、（Ｂ）は（Ａ）の正面図。
【図２】（Ａ）は本発明の第１実施形態の斜視図、（Ｂ）は回動箇所の断面図。
【図３】（Ａ）は本発明の第１実施形態において、ボルト外し前段階で可動顎を収納ボックスに入れんとしている平面としての状態図、（Ｂ）は可動顎を収納ボックスに入れた直後の平面図、（Ｃ）は収納ボックス内の可動顎から複合機本体を外した状態の平面図である。
【図４】（Ａ）は本発明の第１実施形態において、適宜回転した後の収納ボックス内のフォークグラブに対して複合機本体を近接させている状態の平面図、（Ｂ）はフォークグラブに複合機本体をセットした状態の平面図、（Ｃ）はフォークグラブ付きの複合機本体を収納ボックスから外した状態の平面図である。
【図５】（Ａ）は本発明の第２実施形態の平面図、（Ｂ）は（Ａ）の正面図。
【図６】本発明の第２実施形態の斜視図である。
【図７】（Ａ）は本発明の第２実施形態において、ボルト外し前段階でフォークグラブを収納ボックスに入れんとしている側面としての状態図、（Ｂ）はフォークグラブを収納ボックスに入れた直後の側面図、（Ｃ）は収納ボックスにフォークグラブを入れてボルト外し後に、複合機本体を上昇させた状態の側面図、（Ｄ）は今度は複合機本体に可動顎を取換えを行おうとしている状態の側面図である。
【図８】（Ａ）は切断用可動部付建設用小型複合機の正面図及び取換え群の関係図、（Ｂ）は（Ａ）の軸支箇所に用いる大ボルト及び大ナットの斜視図である。
【図９】鉄骨構造物について、建設用小型複合機にて切断，破砕及び掴み作業をしている状態図である。
【発明を実施するための形態】
【００１７】
以下、本発明の実施形態について図面に基づいて説明すると、図１乃至図２は、本願発明の第１実施形態の横型タイプであって、水平状のベース板１と、該ベース板１上に水平回転可能に設けられた、正三角形状又は正方形に近い平板として上板２と、少なくとも２個のそれぞれ異なる形状の挟状部Ｂをそれぞれ収納する収納ボックス３とからなり、該収納ボックス３の複数が前記上板２の外周辺寄りに固着されている。実施形態では、３ボックスが記載されているが、２個の場合、４個の場合、それ以上の場合もあり、数に制限されない。
【００１８】
前記ベース板１の中央上には、円形の環状固定部４１が固着され、該環状固定部４１に対応して、この上側には、円形の環状回転部４２が前記上板２の下面には固着されている。前記環状固定部４１及び環状回転部４２の間には、球体などの回転体４３が介在されて、前記上板２が前記ベース板１上を転動するように構成されている。つまり、数十ｃｍのベアリングとしての構成をなしている。これにより、油圧ショベルと収納された前記各挟状部Ｂは容易に正対できる。
【００１９】
前記収納ボックス３は、上側又は横側が開口３０されると共に、前記挟状部Ｂの形状に応じて大きさも決定されている。横型タイプでは、特に、横側が開口３０され、水平又は中心が下がるように傾斜している〔図２（Ａ）鎖線部参照〕。また、前記収納ボックス３は、箱状物が１つで、一対の挟状部Ｂ，Ｂを収納したり、或いは、一対のもの１個づつを収納するように別々に構成されることもある。また、前記挟状部Ｂは、鉄骨を切断できる切断用可動部５として構成されたり、鉄筋コンクリートを破砕できる破砕体６ｃ付き可動顎６として構成されることもある。
【００２０】
さらには、破砕又は切断された部材，材料などの掴みができるフォークグラブ７Ａ，７Ｂとして構成されることもある。フォークグラブ７Ａは２本爪用で、フォークグラブ７Ｂは３本爪用である。また、破砕したコンクリート塊をさらに細かく破砕できる小割り用の非対称の小割り破砕部７Ｃ，７Ｄが用意されることもある。小割り破砕部７Ｃには切断刃が設けられ、小割り破砕部７Ｄには対応する溝が形成されている。
【００２１】
また、別の何らかの役割をなす部材が用意されることもあり、この４種類以上の場合もあり、数には限定されない。また、前述の切断用可動部５及び破砕体６１付き可動顎６の２種類のみの場合、さらに、切断用可動部５，破砕体６１付き可動顎６及びフォークグラブ７Ａ，７Ｂの３種類とする場合もある。
【００２２】
前記切断用可動部５は、左右対称の部材として設けられる。すなわち、該切断用可動部５は、先端側の嘴状部５１と基部５０側の直状部とから構成されている。前記嘴状部５１及び直状部には、それぞれ先端側切断刃５ａ及び切断刃５ｂがそれぞれ装着されている。前記先端側切断刃５ａ及び切断刃５ｂの挟み作用にて、鉄骨などを切断する。その嘴状部５１は、鉄骨などの鉄板に孔開け作業をなす。
【００２３】
前記可動顎６は、略三角形状をなし、先端部６１と基部６０とが形成され、該基部６０箇所で、複合機本体８の一部に軸支８ａされるように構成されている。前記可動顎６の外方側の中間位置６２箇所に前記油圧シリンダ８ｆのピストンロッド８ｆ２の先端が軸支される。また、前記油圧シリンダ８ｆのシリンダ筒体８ｆ１が前記複合機本体８の上端箇所において回動自在に設けられている。前記両油圧シリンダ８ｆ，８ｆのピストンロッド８ｆ２，８ｆ２の伸縮運動によって、対向する両可動顎６，６は開閉運動をするように構成されている。
【００２４】
その可動顎６の先端部６１には、算盤珠状の破砕体６ａが固着されている。つまり、対向する破砕体６ａ，６ａ付き両可動顎６，６が開閉運動することで、被破砕物Ｓの基礎コンクリートを挟持して、表面のコンクリートを剥がしつつ破砕できる。前記破砕体６ａは、具体的には、算盤珠を略半分とした形状としたものであるが、これ以外に、例えば周縁を尖らせた半円盤状としたもの等が含まれる。また、直刃状であってもよい。
【００２５】
また、前記複合機本体８の後部端〔図８（Ａ）において上側〕には、適宜の角度回転してその位置で停止可能な旋回体８２が設けられ、被破砕物Ｓを、最良なる角度で切断又は破砕するように構成されている。符号８３は前記旋回体８２の外表面に取付けられた取付用ブラケットである。その複合機本体８１，旋回体８２及び取付用ブラケット８３は、建設用小型解体機の部材として構成されている。符号９２は、油圧ショベル９１の先端側の作業アームである。
【００２６】
前記挟状部Ｂの第３の実施形態としては、掴み用のフォークグラブ７として構成されている。該フォークグラブ７は、２本爪用のフォークグラブ７と３本爪用のフォークグラブ７とで掴みが良好にできるように構成されている。それぞれの爪は長手方向に沿って緩やかに弧状をなしている。
【００２７】
その作用について説明する。まずは、軽量鉄骨構造物において、屋根板などを外し、その骨組みである鉄骨Ｓを切断などしてその構造物を切断破砕する。そして、作業工程としては、今度は、基礎の鉄筋コンクリートＳを破砕する段取りとなる。すると、その装置の切断用可動部５の嘴状部５１先端を地面に付けるようにして、軸支部分のナットなどを外して、この状態で、収納ボックス３内に、その一対の切断用可動部５，５を上から下に、又は外側から内側に挿入する。
【００２８】
一対の切断用可動部５，５を収納ボックス３内に挿入した状態で、その軸支部分のボルトを外す〔図３（Ｂ）参照〕。これで、複合機本体８と切断用可動部５，５とを分離してその複合機本体８１を後退させる〔図３（Ｃ）参照〕。この状態で、次に、破砕体６ｃ付き可動顎６，６が収納されている収納ボックス３の位置が、複合機本体８が位置している正面まで適宜回転させる〔図４（Ａ）参照〕。そのときに、その位置となったら回転を止める。
【００２９】
このときの収納ボックス３の位置の微調整が必須となる。つまり、油圧ショベル上の作業者が、作業アーム先端部９２の複合機本体８１を動かして、図４（Ａ）に示すように、紙面において、上側に移動させる。このとき、前記複合機本体８の軸支８ａ箇所内に、可動顎６の基部６０がセットされるようにするのに、ミリ単位の左右の移動が必要となる。
【００３０】
本発明では、特に、収納ボックス３が載置された上板２が前記ベース板１上に水平回転可能に構成されているため、中心の垂直軸ｎに対して、左側に僅かな角度∠Δα（例えば約１度乃至約２度）動かしたり、或いは右側に僅かな角度∠Δβ（例えば約１度乃至約２度）動かすことで、複合機本体８の軸支８ａ箇所内に、可動顎６の基部６０を簡単にセットできる。
【００３１】
その操作は細かい動きを必要とするが、収納ボックス３が載置された上板２が水平回転可能であると共に、且つ静止状態を保持できることで、その軸支箇所内への可動顎６の基部６０の芯合わせのセットが簡単にできるものである。さらに、実施形態では、前記挟状部Ｂの重さが、建設用小型複合機の約十分の１程度であって、数十キロであるがため、本発明の複数挟状部収納用テーブルとの協業にて作業ができる。  
【００３２】
そして、セットしたら、直ぐに、図８（Ｂ）に示すような大ボルト８ａ１を挿入し、これで、挟状部Ｂを収納ボックス３から抜くようにして外し、その状態で、最終的な軸支箇所の大ナット８ａ２締めや小ボルト締めを行って、新規な挟状部Ｂを複合機本体８１に取換えを完了できる。そして、次の工程の作業を行う。さらに、この仕事が終了したら、最後にフォークグラブ７を使って掴み、排除、清掃などを行う。これを行うときにも、収納ボックス３に入っている該フォークグラブ７Ｃ，７Ｄを、前述と同様な作業をして取り換える。
【００３３】
図５及び図６に示したものは、本願発明の第２実施形態の縦型タイプであって、水平状のベース板１と、該ベース板１上に水平回転可能に設けられた、正三角形状又は正方形に近い平板として上板２と、少なくとも２個のそれぞれ異なる形状の挟状部Ｂをそれぞれ収納する収納ボックス３とから構成されている。
【００３４】
特に、該収納ボックス３は、前記挟状部Ｂの出し入れが、上板２の下側から上側に又は上側から下側に垂直状態を保持しつつできるように、その上側が開口３０されている。また、図７（Ｃ）及び（Ｄ）に示すように、地面から挟状部Ｂの基部までの異なる高さＨが均一になるようにして作業員が立ったまま作業できるようにすることもある。この縦型タイプでも、その作業順序は、横型タイプと同様であり、その説明を省略する。
【符号の説明】
【００３５】
１…ベース板、２…上板、Ｂ…挟状部、３０…開口、３…収納ボックス、
５…切断用可動部、６ａ…破砕体、６…可動顎、７Ａ、７Ｂ…フォークグラブ、
７Ｃ，７Ｄ…小割り破砕部。
【要約】
【目的】本発明は、複数の油圧ショベルのブーム先端箇所に取り付けた建設用小型複合機において、狭隘地などの極めて狭い場所においても、先端に付けたアームなどの挟状部のみを適宜交換することが簡易且つ迅速にできること。
【構成】水平状のベース板１と、該ベース板１上に水平回転可能に設けられた上板２と、少なくとも２個のそれぞれ異なる形状の挟状部Ｂをそれぞれ収納できること。上側又は横側が開口３０された収納ボックス３とからなること。該収納ボックス３の複数が前記上板２の外周辺寄りに固着されていること。
【選択図】      図１【図１】
0004808817.tif 000002
【図２】
0004808817.tif 000003
【図３】
0004808817.tif 000004
【図４】
0004808817.tif 000005
【図５】
0004808817.tif 000006
【図６】
0004808817.tif 000007
【図７】
0004808817.tif 000008
【図８】
0004808817.tif 000009
【図９】
0004808817.tif 000010